(57)【要約】【課題】所望の処理が行われるまでの時間を短縮できる電気錠制御システム、鍵装置、電気錠システム、電気錠制御システムの制御方法、鍵装置の制御方法、電気錠制御システム用プログラム、及び鍵装置用プログラムを提供する。【解決手段】電気錠制御システム１は、鍵装置２と無線通信する錠側通信部１３と、錠側通信部１３が鍵装置２から受信した情報に基づいて、建物の開口部を開閉する開閉部材を施錠又は解錠する電気錠３を制御する錠側制御部１１とを備える。錠側制御部１１は、錠側制御部１１の動作状態に応じたビーコン信号を送信するように錠側通信部１３を制御する。【選択図】図１
2019035230.tif 000002
【特許請求の範囲】
【請求項１】
鍵装置と無線通信する錠側通信部と、前記錠側通信部が前記鍵装置から受信した情報に基づいて、建物の開口部を開閉する開閉部材を施錠又は解錠する電気錠を制御する錠側制御部とを備え、
前記錠側制御部は、前記錠側制御部の動作状態に応じたビーコン信号を送信するように前記錠側通信部を制御する
電気錠制御システム。
【請求項２】
前記錠側制御部の動作状態は、前記開閉部材の施錠又は解錠を許可する前記鍵装置を登録する登録状態と、登録済みの前記鍵装置から受信した前記情報に基づいて前記電気錠を制御する施解錠状態と、を含む
請求項１に記載の電気錠制御システム。
【請求項３】
前記錠側制御部は、前記開閉部材の施錠又は解錠を許可する前記鍵装置を登録する登録状態に対応した前記ビーコン信号を前記錠側通信部が送信した場合に、登録済みの前記鍵装置から前記錠側通信部が無線信号を受信すると、前記鍵装置を登録する処理とは異なる処理を行う
請求項１又は２に記載の電気錠制御システム。
【請求項４】
前記錠側制御部の動作状態は、所定の台数の前記鍵装置が登録された状態を含む
請求項１〜３のいずれか１項に記載の電気錠制御システム。
【請求項５】
前記錠側制御部の動作状態は、操作を受け付ける錠側操作部が前記電気錠を解錠又は施錠するための施解錠操作を受け付けた状態を含む
請求項１〜４のいずれか１項に記載の電気錠制御システム。
【請求項６】
建物の開口部を開閉する開閉部材を施錠又は解錠する電気錠を制御する電気錠制御システムと無線通信する鍵側通信部と、
前記電気錠制御システムから送信される前記電気錠制御システムの動作状態に応じたビーコン信号の受信待ちを行うように前記鍵側通信部を制御する待受ステップ、及び前記鍵側通信部が受信した前記ビーコン信号に基づいて前記電気錠制御システムの動作状態に対応する処理を行う鍵側処理ステップを実行する鍵側制御部と、を備える
鍵装置。
【請求項７】
前記鍵側制御部は、前記待受ステップの少なくとも一部の処理と、前記鍵側処理ステップの少なくとも一部の処理とを並行して行う
請求項６に記載の鍵装置。
【請求項８】
前記ビーコン信号の種類に応じて優先度が異なり、
前記鍵側制御部は、前記待受ステップにおいて前記鍵側通信部が複数の前記ビーコン信号を受信した場合に、前記鍵側通信部が受信した前記複数のビーコン信号のうち優先度が高いビーコン信号に基づく処理を行う
請求項６又は７に記載の鍵装置。
【請求項９】
前記鍵側制御部は、前記待受ステップを間欠的に行い、
前記待受ステップを行う時間が、前記電気錠制御システムが前記ビーコン信号を送信する送信間隔よりも長い
請求項６〜８のいずれか１項に記載の鍵装置。
【請求項１０】
前記鍵側制御部は、前記待受ステップにおいて、登録済みの前記電気錠制御システムから、前記開閉部材の施錠又は解錠を許可する前記鍵装置を登録する登録状態に対応した前記ビーコン信号を受信した場合に、前記登録状態に対応した前記ビーコン信号に基づく処理とは異なる処理を行う
請求項６〜９のいずれか１項に記載の鍵装置。
【請求項１１】
前記電気錠制御システムの動作状態に対応する処理は、前記電気錠制御システムに登録する登録処理と、前記開閉部材を施錠又は解錠するように前記電気錠を制御する施解錠処理と、を含む
請求項６〜１０のいずれか１項に記載の鍵装置。
【請求項１２】
前記登録処理を行うために操作される操作部が、前記施解錠処理を行うために操作される操作部と同じである
請求項１１に記載の鍵装置。
【請求項１３】
請求項１〜５のいずれか１項に記載の電気錠制御システムと、請求項６〜１２のいずれか１項に記載の鍵装置と、前記電気錠制御システムによって制御される電気錠と、を備える
電気錠システム。
【請求項１４】
電気錠を制御する電気錠制御システムの動作状態に応じたビーコン信号を送信する送信ステップと、
前記ビーコン信号を受信した鍵装置から送信される無線信号に基づいた処理を行う錠側処理ステップと、を含む
電気錠制御システムの制御方法。
【請求項１５】
電気錠を制御する電気錠制御システムから送信される前記電気錠制御システムの動作状態に応じたビーコン信号の受信待ちを行う待受ステップと、
前記待受ステップで受信した前記ビーコン信号に基づいて前記電気錠制御システムの動作状態に対応する処理を行う鍵側処理ステップと、を含む
鍵装置の制御方法。
【請求項１６】
コンピュータシステムに、
電気錠を制御する電気錠制御システムの動作状態に応じたビーコン信号を送信する送信ステップと、
前記ビーコン信号を受信した鍵装置から送信される無線信号に基づいた処理を行う錠側処理ステップと、を実行させるための
電気錠制御システム用プログラム。
【請求項１７】
コンピュータシステムに、
電気錠を制御する電気錠制御システムから送信される前記電気錠制御システムの動作状態に応じたビーコン信号の受信待ちを行う待受ステップと、
前記待受ステップで受信した前記ビーコン信号に基づいて前記電気錠制御システムの動作状態に対応する処理を行う鍵側処理ステップと、を実行させるための
鍵装置用プログラム。
【発明の詳細な説明】
【技術分野】
【０００１】
本開示は、電気錠制御システム、鍵装置、電気錠システム、電気錠制御システムの制御方法、鍵装置の制御方法、電気錠制御システム用プログラム、及び鍵装置用プログラムに関する。本開示は、特に、建物に設けられた開閉部材を施錠又は解錠する電気錠を制御するための電気錠制御システム、鍵装置、電気錠システム、電気錠制御システムの制御方法、鍵装置の制御方法、電気錠制御システム用プログラム、及び鍵装置用プログラムに関する。
【背景技術】
【０００２】
従来、建物のドアの施錠及び解錠を行う電気錠システムがあった（例えば特許文献１参照）。特許文献１の電気錠システムは、ドアに設けられた主錠及び補助錠の施錠及び解錠を制御するコントローラを含む。コントローラは、電子鍵をオン状態にする起動信号を定期的に送信する。電子鍵は、起動信号を受信するとオン状態になり、コントローラへＩＤ情報を送信する。コントローラは、電子鍵からＩＤ情報を受信すると、ＩＤ情報を認証し、認証可の場合には施錠されていた主錠及び補助錠を解錠する。
【先行技術文献】
【特許文献】
【０００３】
【特許文献１】特開２０１６−２０６０６号公報
【発明の概要】
【発明が解決しようとする課題】
【０００４】
特許文献１の電気錠システムでは、電子鍵（鍵装置）の周囲に複数のコントローラ（電気錠制御システム）が存在する場合、電子鍵が複数のコントローラから起動信号を受信する可能性がある。電子鍵は、複数のコントローラから起動信号を受信すると、電子鍵が登録済みのコントローラから起動信号を受信するまでに時間がかかり、その結果、主錠及び補助錠を解錠する処理が遅れる可能性がある。
【０００５】
本開示の目的は、所望の処理が行われるまでの時間を短縮できる電気錠制御システム、鍵装置、電気錠システム、電気錠制御システムの制御方法、鍵装置の制御方法、電気錠制御システム用プログラム、及び鍵装置用プログラムを提供することにある。
【課題を解決するための手段】
【０００６】
本開示の一態様の電気錠制御システムは、鍵装置と無線通信する錠側通信部と、前記錠側通信部が前記鍵装置から受信した情報に基づいて、建物の開口部を開閉する開閉部材を施錠又は解錠する電気錠を制御する錠側制御部とを備える。前記錠側制御部は、前記錠側制御部の動作状態に応じたビーコン信号を送信するように前記錠側通信部を制御する。
【０００７】
本開示の一態様の鍵装置は、鍵側通信部と、鍵側制御部と、を備える。前記鍵側通信部は、建物の開口部を開閉する開閉部材を施錠又は解錠する電気錠を制御する電気錠制御システムと無線通信する。前記鍵側制御部は待受ステップ及び鍵側処理ステップを実行する。前記待受ステップでは、前記電気錠制御システムから送信される前記電気錠制御システムの動作状態に応じたビーコン信号の受信待ちを行うように前記鍵側通信部を制御する。前記鍵側処理ステップでは、前記鍵側通信部が受信した前記ビーコン信号に基づいて前記電気錠制御システムの動作状態に対応する処理を行う。
【０００８】
本開示の一態様の電気錠システムは、前記電気錠制御システムと、前記鍵装置と、前記電気錠制御システムによって制御される電気錠と、を備える。
【０００９】
本開示の一態様の電気錠制御システムの制御方法は、送信ステップと、錠側処理ステップと、を含む。前記送信ステップでは、電気錠を制御する電気錠制御システムの動作状態に応じたビーコン信号を送信する。前記錠側処理ステップでは、前記ビーコン信号を受信した鍵装置から送信される無線信号に基づいた処理を行う。
【００１０】
本開示の一態様の鍵装置の制御方法は、待受ステップと、鍵側処理ステップと、を含む。前記待受ステップでは、電気錠を制御する電気錠制御システムから送信される前記電気錠制御システムの動作状態に応じたビーコン信号の受信待ちを行う。前記鍵側処理ステップでは、前記待受ステップで受信した前記ビーコン信号に基づいて前記電気錠制御システムの動作状態に対応する処理を行う。
【００１１】
本開示の一態様の電気錠制御システム用プログラムは、コンピュータシステムに、送信ステップと、錠側処理ステップと、を実行させるためのプログラムである。前記送信ステップでは、電気錠を制御する電気錠制御システムの動作状態に応じたビーコン信号を送信する。前記錠側処理ステップでは、前記ビーコン信号を受信した鍵装置から送信される無線信号に基づいた処理を行う。
【００１２】
本開示の一態様の鍵装置用プログラムは、コンピュータシステムに、待受ステップと、鍵側処理ステップと、を実行させるためのプログラムである。前記待受ステップでは、電気錠を制御する電気錠制御システムから送信される前記電気錠制御システムの動作状態に応じたビーコン信号の受信待ちを行う。前記鍵側処理ステップでは、前記待受ステップで受信した前記ビーコン信号に基づいて前記電気錠制御システムの動作状態に対応する処理を行う。
【発明の効果】
【００１３】
本開示によれば、所望の処理が行われるまでの時間を短縮できる。
【図面の簡単な説明】
【００１４】
【図１】図１は、本開示の一実施形態に係る電気錠システムのブロック図である。
【図２】図２は、同上の電気錠システムの使用例の説明図である。
【図３】図３は、本開示の一実施形態に係る電気錠制御システムの動作を示すフローチャートである。
【図４】図４は、本開示の一実施形態に係る錠装置の動作を示すフローチャートである。
【図５】図５は、本開示の一実施形態の変形例１に係る鍵装置の動作を説明するフローチャートである。
【発明を実施するための形態】
【００１５】
（１）概要
以下、本実施形態に係る電気錠制御システムを含む電気錠システムの概要について説明する。本実施形態に係る電気錠システム１０は、図１に示すように、電気錠制御システム１と、鍵装置２とを、含む。また、電気錠システム１０は、電気錠制御システム１によって制御される電気錠３を、更に含む。
【００１６】
本実施形態に係る電気錠制御システム１は電気錠３を制御するためのシステムである。電気錠３は開閉部材５（図２参照）を施錠又は解錠する。開閉部材５は、建物４の開口部４０を開閉する。開閉部材５は、建物４の内側（宅内４１）と外側（宅外４２）とを隔てる扉又は窓であって、例えば、玄関、勝手口等の扉（開き戸又は引き戸）、又は掃き出し窓等である。本実施形態では、開閉部材５は、玄関扉である。電気錠制御システム１及び電気錠３は、開閉部材５に設置されている。電気錠制御システム１は、鍵装置２と通信可能に構成されている。電気錠制御システム１は、鍵装置２との通信によって、開閉部材５を施錠する施錠状態と、開閉部材５を解錠する解錠状態との切り替えを電気的に行うように構成されている。
【００１７】
鍵装置２は、電気錠制御システム１との通信機能を有している。本実施形態では、電気錠制御システム１と鍵装置２との間の通信方式は、電波を媒体とする無線通信である。鍵装置２は、例えば電話機能を有する携帯電話端末である。本実施形態では、電気錠制御システム１及び鍵装置２は、いずれも電池駆動式である。本実施形態では、建物４が戸建て住宅である場合を例として説明する。したがって、ユーザ６は、建物４の住人及びその関係者のうち、鍵装置２を所有する人である。ユーザ６が複数いる場合、複数のユーザ６がそれぞれ鍵装置２を所有してもよく、その場合、電気錠制御システム１は複数の鍵装置２を含む。
【００１８】
電気錠３は、電気錠制御システム１の錠側制御部１１（後述する）から出力される施錠信号又は解錠信号によって、電動で開閉部材５を施錠又は解錠する。すなわち、電気錠３は、錠側制御部１１からの施錠信号又は解錠信号によって、開閉部材５を施錠する施錠状態、又は開閉部材５を解錠する解錠状態に切り替えられる。
【００１９】
本実施形態に係る電気錠制御システム１及び鍵装置２は、処理が行われるまでの時間を短縮できるように、以下のように構成されている。
【００２０】
本実施形態に係る電気錠制御システム１は、図１に示すように、錠側通信部１３と、錠側制御部１１と、を備える。
【００２１】
錠側通信部１３は、鍵装置２と無線通信する。
【００２２】
錠側制御部１１は、錠側通信部１３が鍵装置２から受信した情報に基づいて、開閉部材５（図２参照）を施錠又は解錠する電気錠３を制御する。錠側制御部１１は、錠側制御部１１の動作状態に応じたビーコン信号を送信するように錠側通信部１３を制御する。
【００２３】
本実施形態に係る鍵装置２は、図１に示すように、鍵側通信部２２と、鍵側制御部２１と、を備える。
【００２４】
鍵側通信部２２は、電気錠制御システム１と無線通信する。
【００２５】
鍵側制御部２１は、待受ステップと、鍵側処理ステップとを実行する。待受ステップでは、鍵側通信部２２が電気錠制御システム１から送信されるビーコン信号の受信待ちを行う。鍵側処理ステップでは、鍵側通信部２２が受信したビーコン信号に基づいて電気錠制御システム１に対する処理を行う。
【００２６】
電気錠制御システム１の錠側制御部１１は、錠側通信部１３の通信範囲に存在する鍵装置２を起動するために、ビーコン信号を定期的に送信するように錠側通信部１３を制御する。そして、錠側制御部１１は、錠側制御部１１の動作状態に応じたビーコン信号を送信するように錠側通信部１３を制御する。一方、鍵装置２の鍵側制御部２１は、待受ステップにおいて鍵側通信部２２がビーコン信号を受信すると、受信したビーコン信号に基づいて錠側制御部１１（つまり、電気錠制御システム１）の動作状態に対する処理を行う。このように、鍵装置２は、錠側制御部１１（電気錠制御システム１）の動作状態に応じたビーコン信号に基づいて、電気錠制御システム１（電気錠制御システム１）の動作状態に対応する処理を行うことができる。よって、鍵装置２は、錠側制御部１１の動作状態に適した処理を行うことができ、電気錠制御システム１で所望の処理が行われるまでの時間を短縮できる。
【００２７】
また、鍵装置２が、周囲にある複数の電気錠制御システム１のうち、受信信号強度が一定値以上である電気錠制御システム１のみを受信対象とすることも考えられるが、電波の反射等の影響によっては所望の電気錠制御システム１に接続できない可能性がある。本実施形態では、鍵装置２は、電気錠制御システム１の動作状態に応じたビーコン信号に基づいて、電気錠制御システム１の動作状態に対応する処理を行っているので、電気錠制御システム１で所望の処理が行われるまでの時間を短縮できる。
【００２８】
ここにおいて、錠側制御部１１（電気錠制御システム１）の「動作状態」は、錠側制御部１１が鍵装置２又は電気錠３に対して行う動作の内容に応じた複数の状態を含む。錠側制御部１１（電気錠制御システム１）の動作状態は、例えば、開閉部材５の施錠又は解錠を許可する鍵装置２を登録する登録状態と、登録済みの鍵装置２から受信した情報に基づいて電気錠３を制御する施解錠状態とを少なくとも含む。また、錠側制御部１１（電気錠制御システム１）の「動作状態」は、所定の台数の鍵装置２が登録された状態を含んでもよいし、後述する錠側操作部１５で施錠又は解錠のための特定の操作をされた状態を含んでもよい。
【００２９】
また、動作状態に応じたビーコン信号とは、動作状態に応じて、例えば、ビーコン信号の信号系列、送信周期、送信周波数のうち少なくとも１つが異なるビーコン信号である。
【００３０】
（２）詳細
以下、本実施形態に係る電気錠制御システム１、鍵装置２、及び、電気錠制御システム１と鍵装置２とを備える電気錠システム１０の構成について説明する。
【００３１】
（２．１）電気錠制御システム
電気錠制御システム１は、図１に示すように、錠側制御部１１と、検知部１２と、錠側通信部１３と、通知部１４と、錠側操作部１５と、錠側記憶部１６と、を備えている。本実施形態では、電気錠制御システム１は、錠側制御部１１、検知部１２、錠側通信部１３、通知部１４、錠側操作部１５及び錠側記憶部１６が１つのケース１７（図２参照）に収納されている。
【００３２】
検知部１２は、開閉部材５（本実施形態では玄関扉）の開閉を検知する。検知部１２は、玄関扉の扉枠に取り付けられるマグネットと、玄関扉が閉じられた状態でマグネットと対向するように玄関扉に配置される磁気センサと、を備えている。検知部１２は、磁気センサによる磁気の検出結果に基づいて玄関扉（開閉部材５）の開閉状態を検知し、その検知結果を錠側制御部１１に出力する。
【００３３】
錠側通信部１３は、例えば、アンテナと、通信回路と、を有し、電波を媒体とする無線通信を行う。錠側通信部１３は、例えばＢＬＥ［Bluetooth（登録商標） Low Energy］の規格に準拠した近距離無線通信を行うように構成されている。ここで、「ＢＬＥ」とは、無線ＰＡＮ（Personal Area Network）技術であるＢｌｕｅｔｏｏｔｈ（登録商標）の仕様における、低消費電力仕様の呼称である。本実施形態において錠側通信部１３から送信されるビーコン信号は、ＢＬＥの場合のアドバタイズ信号であり、本実施形態ではビーコン信号をアドバタイズ信号として説明する。尚、ビーコン信号は、錠側通信部１３が採用する通信方式等によって適宜変更可能である。錠側通信部１３は、錠側制御部１１からの指令に従って、アドバタイズ信号（ビーコン信号）を間欠的に（例えば０．５秒間隔で）送信する。本実施形態では、錠側通信部１３は、錠側制御部１１からの指令に従って、錠側制御部１１（電気錠制御システム１）の動作状態に応じたアドバタイズ信号を送信する。また、錠側通信部１３は、アドバタイズ信号に応答して鍵側通信部２２（後述する）から送信される応答信号を受信する。つまり、錠側通信部１３は、信号の送信機能及び受信機能を有しており、鍵側通信部２２との間で双方向の通信を行うように構成されている。
【００３４】
また、錠側通信部１３は、受信した無線信号（電波信号）Ｓｉｇ１の受信信号強度（RSSI：Received Signal Strength Indicator）を計測する機能を有している。錠側通信部１３は、鍵装置２からの無線信号Ｓｉｇ１を受信すると、無線信号Ｓｉｇ１に含まれる鍵情報などの情報と、無線信号Ｓｉｇ１（受信信号）の受信信号強度（計測値）とを錠側制御部１１に出力する。錠側通信部１３は、鍵装置２から受信する受信信号の受信信号強度が第１閾値以上であれば、鍵装置２と通信を行う。ここにおいて、鍵装置２から受信する受信信号の受信信号強度が第１閾値以上となる範囲が通信範囲Ａ１である。本実施形態では、第１閾値は、電気錠制御システム１の設置場所から数ｍ離れた位置にある鍵装置２から受信した信号の受信信号強度に相当する値に設定されている。尚、錠側制御部１１が、鍵装置２から受信する受信信号の受信信号強度と第１閾値との高低を比較する処理を行うことは、電気錠制御システム１に必須の構成ではなく、適宜省略が可能である。
【００３５】
通知部１４は、例えば、ＬＥＤ（Light Emitting Diode）、液晶ディスプレイ等で構成される表示部と、ブザーと、を有している。通知部１４は、開閉部材５が施錠されたか否かをユーザ６に通知する機能を有している。通知部１４は、例えば、電気錠３の動作状態を表示部に表示させる。具体的には、通知部１４は、電気錠３によって開閉部材５が施錠されている旨の表示、又は開閉部材５が解錠されている（施錠されていない）旨の表示を表示部に表示させる。また、通知部１４は、電気錠３によって開閉部材５が施錠されていない場合に、ブザーを鳴動させる。これにより、ユーザ６は、通知部１４の通知内容によって開閉部材５が施錠されたか否かを知ることができる。尚、通知部１４は、電気錠制御システム１に必須の構成ではなく、適宜省略が可能である。
【００３６】
錠側操作部１５は、ユーザ６（つまり、人）による操作入力を受け付ける機能を有している。錠側操作部１５は、例えば建物４の外側（宅外４２）に露出するようにケース１７に設けられた解錠操作のための押釦スイッチを含む。また、錠側操作部１５は、錠側制御部１１の動作状態を施解錠状態から登録状態に切り替えるための押釦スイッチを含む。動作状態を登録状態とするための押釦スイッチは開閉可能なカバーなどで覆われているのが好ましく、カバーを開けて押釦スイッチを操作すればよい。尚、錠側操作部１５は、例えば開閉部材５（玄関扉）に備わっているドアハンドル（取っ手）に設けられてもよいし、ユーザ６がドアハンドルに触れる操作を検知するタッチセンサ等であってもよい。錠側操作部１５は、ユーザ６による操作入力を受け付けると、操作入力に応じた操作信号を錠側制御部１１に出力する。
【００３７】
錠側記憶部１６は、例えばＥＥＰＲＯＭ（Electrically Erasable and Programmable Read-Only Memory）のような電気的に書き換え可能な不揮発性メモリを備える。錠側記憶部１６は、電気錠３の制御を許可された１台以上の鍵装置２の鍵情報を認証情報として記憶する。複数の鍵装置２には互いに異なる鍵情報が付与されている。このため、錠側記憶部１６は、鍵装置２の識別情報と、鍵装置２に付与された鍵情報とを対応付けて記憶する。
【００３８】
錠側制御部１１は、開閉部材５の施錠又は解錠を許可する鍵装置２を登録する登録処理、登録済みの鍵装置２からの情報に基づいて電気錠３を制御する施解錠処理、等を行う。錠側制御部１１は、例えば、プロセッサ及びメモリを有するマイクロコンピュータで構成されている。つまり、錠側制御部１１は、プロセッサ及びメモリを有するコンピュータシステムで実現されている。プロセッサが、例えばメモリ又は錠側記憶部１６に記録されたプログラムを実行することにより、コンピュータシステムによって錠側制御部１１の各種の機能が実現される。プログラムは、マイクロコンピュータのメモリ又は錠側記憶部１６に予め記録されていてもよいし、インターネット等の電気通信回線を通じて、又はメモリカード等の非一時的な記録媒体に記録されて提供されてもよい。
【００３９】
錠側操作部１５から錠側制御部１１に動作状態を登録状態に設定する操作信号が入力されると、錠側制御部１１は、登録処理を行う登録状態で動作する。錠側制御部１１は、登録状態において、錠側通信部１３から登録状態に応じたアドバタイズ信号を送信させる。アドバタイズ信号の送信後に、錠側通信部１３がアドバタイズ信号に対する応答信号を受信すると、錠側制御部１１は、応答信号の送信元である鍵装置２を登録する処理を行い、鍵装置２に付与する鍵情報を錠側通信部１３から鍵装置２に送信させる。錠側制御部１１は、鍵装置２を１台登録すると、登録状態を終了して施解錠状態で動作する。尚、錠側制御部１１は、施解錠状態から登録状態に切り替わると、所定期間は登録状態を継続してもよく、登録状態で動作する間に複数台の鍵装置２を登録してもよい。
【００４０】
また、錠側制御部１１が施解錠状態で動作する場合、錠側制御部１１は、錠側通信部１３から施解錠状態に応じたアドバタイズ信号を送信させる。アドバタイズ信号の送信後に、錠側通信部１３がアドバタイズ信号に対する応答信号を受信すると、錠側制御部１１は、応答信号の送信元である鍵装置２を認証する処理を行う。すなわち、錠側制御部１１は、応答信号に含まれる鍵情報を、錠側記憶部１６が記憶する認証情報と照合することにより、鍵情報を送信してきた鍵装置２が、電気錠３の制御を許可された鍵装置２であるか否かを認証する。ここにおいて、鍵情報とは、電気錠３の制御を許可する鍵装置２として電気錠制御システム１に登録された鍵装置２に、電気錠制御システム１から付与された情報である。また、解錠操作のための押釦スイッチが操作されると錠側制御部１１は、錠側通信部１３が鍵装置２から受信した無線信号の受信信号強度（計測値）と第２閾値との高低を比較し、受信信号強度が第２閾値以上であれば、鍵装置２が認証エリアＡ２（図２参照）に存在すると判定する。そして、錠側制御部１１は、鍵情報の認証が成功し、かつ、受信信号強度が第２閾値以上であれば、電気錠３に解錠信号を出力して電気錠３を解錠させる。ここで、錠側操作部１５の押釦スイッチを用いて解錠又は施錠のための特定の操作がされたとき、錠側制御部１１が、押釦スイッチの操作状態（解錠又は施錠のための操作状態、以下「施解錠操作状態」ともいう。）に応じたアドバタイズ信号を送信させてもよい。押釦スイッチの操作状態（施解錠操作状態）は、ユーザ６によって解錠又は施錠の操作が行われてから所定時間継続する。したがって、ユーザ６によって解錠又は施錠の操作が行われてから所定時間が経過するまでの間、押釦スイッチの操作状態（施解錠操作状態）に応じたアドバタイズ信号が送信される。
【００４１】
ここで、第２閾値は第１閾値よりも大きい値に設定されている。宅外４２において開口部４０の近傍には、通信範囲Ａ１よりも狭い認証エリアＡ２が設定されている。認証エリアＡ２は、開閉部材５からの距離が例えば最大で約１ｍの範囲であり、錠側通信部１３が認証エリアＡ２に存在する鍵装置２から受信した信号の受信信号強度は第２閾値以上になるように、第２閾値の値が設定されている。尚、錠側制御部１１が、鍵装置２から受信する受信信号の受信信号強度と第１閾値との高低を比較する処理を行うことは、電気錠制御システム１に必須の構成ではない。したがって、錠側制御部１１が、鍵装置２から受信する受信信号の受信信号強度と第１閾値との高低を比較する処理を行わない場合、第２閾値は任意の値に設定されていればよく、また認証エリアＡ２も任意の範囲に設定されていればよい。
【００４２】
（２．２）鍵装置
鍵装置２は、例えばスマートフォンのような携帯端末である。鍵装置２は、図１に示すように、鍵側制御部２１と、鍵側通信部２２と、鍵側操作部２３と、鍵側記憶部２４と、表示部２５と、を備えている。
【００４３】
鍵側制御部２１は、例えば、プロセッサ及びメモリを有するマイクロコンピュータで構成されている。つまり、鍵側制御部２１は、プロセッサ及びメモリを有するコンピュータシステムで実現されている。そして、プロセッサが適宜のプログラムを実行することにより、コンピュータシステムが鍵側制御部２１として機能する。プログラムは、メモリに予め記録されていてもよいし、インターネット等の電気通信回線を通じて、又はメモリカード等の非一時的な記録媒体に記録されて提供されてもよい。
【００４４】
鍵側通信部２２は、例えば、アンテナと、通信回路と、を有している。鍵側通信部２２は、錠側通信部１３との間で、例えばＢＬＥの規格に準拠した近距離無線通信を行うように構成されている。鍵側通信部２２は、錠側通信部１３から送信されるアドバタイズ信号を受信する。また、鍵側通信部２２は、アドバタイズ信号を受信すると、受信したアドバタイズ信号に対する応答信号を電気錠制御システム１に送信する。つまり、鍵側通信部２２は、信号の送信機能及び受信機能を有しており、錠側通信部１３との間で双方向の通信を行うように構成されている。
【００４５】
鍵側操作部２３は、ユーザ６による操作入力を受け付ける機能を有している。鍵側操作部２３は、例えば鍵装置２のケースに設けられた押釦スイッチで構成されていてもよいし、鍵装置２のケースに設けられたレバーで構成されていてもよい。本実施形態では、鍵側操作部２３は、表示部２５を構成するディスプレイ装置に設けられたタッチパネルを有している。タッチパネルは、静電容量方式、感圧式などのタッチセンサを有する。ユーザ６が表示部２５のディスプレイ装置に触れる操作（タップ操作、スワイプ操作等）を行うと、鍵側操作部２３は、操作に応じた信号を鍵側制御部２１に出力する。尚、鍵側操作部２３は、ユーザ６が、登録処理のために行う操作と、施解錠処理のために行う操作とを行うための操作部であり、登録処理のために行う操作と施解錠処理のために行う操作とが共通の操作であれば、鍵側操作部２３の構成は適宜変更されてもよい。また、ユーザ６による、登録処理のために行う操作と施解錠処理のために行う操作とが不要であれば、鍵側操作部２３は省略されてもよい。
【００４６】
鍵側記憶部２４は、例えばＥＥＰＲＯＭのような電気的に書き換え可能な不揮発性メモリを備える。鍵側記憶部２４は、鍵装置２に割り当てられた個別の識別情報、及び電気錠制御システム１から付与された鍵情報等を記憶する。また、鍵側記憶部２４には、鍵装置２のコンピュータが実行するプログラムが記憶されている。このプログラムは、予めメモリに記憶されていてもよいし、インターネット等の電気通信回線を通じて、又はメモリカード等の非一時的な記録媒体に記録されて提供されてもよい。本実施形態のように、鍵装置２がスマートフォンであれば、鍵側記憶部２４には、ユーザ６が任意にインストールしたアプリケーションが記憶されていてもよい。
【００４７】
表示部２５は、例えば液晶ディスプレイ、有機ＥＬ（Electro Luminescence）ディスプレイ等の薄型ディスプレイ装置である。表示部２５は、鍵側制御部２１によって表示内容が制御される。尚、表示部２５は、鍵装置２に必須の構成ではなく、適宜省略が可能である。
【００４８】
（２．３）電気錠
電気錠３は、開閉部材５（ここでは、玄関扉）を解錠及び施錠する。電気錠３は、デッドボルトと、駆動部と、駆動回路と、を有している。駆動回路は、錠側制御部１１から出力される制御信号（解錠信号又は施錠信号）に応じて駆動信号を作成し、この駆動信号を駆動部に出力する。駆動部は、電動モータと、電動モータの駆動力をデッドボルトに伝達する伝達機構と、を備えている。駆動部は、駆動回路から入力される駆動信号に従って駆動モータを駆動する。駆動モータの駆動力が伝達機構を介してデッドボルトに伝達されることによって、デッドボルトが施錠位置又は解錠位置に移動する。ここで、デッドボルトが施錠位置に移動した状態では、デッドボルトの少なくとも一部が、開閉部材５を支持する扉枠に設けられたボルト穴に挿入されており、この状態では開閉部材５が閉じた状態で保持される。つまり、開閉部材５が施錠された状態となる。デッドボルトが解錠位置に移動した状態では、デッドボルトの全体がボルト穴の外に出ており、この状態では開閉部材５の開閉が可能になる。つまり、開閉部材５が解錠された状態となる。
【００４９】
（３）動作
以下、電気錠制御システム１及び鍵装置２の動作について説明する。
【００５０】
電気錠制御システム１は、周囲に存在する鍵装置２を起動させるためにアドバタイズ信号を定期的に送信（例えば０．５〜数秒の間隔で送信）しており、アドバタイズ信号を送信する処理について図３に基づいて説明する。
【００５１】
錠側制御部１１は、所定の送信間隔でアドバタイズ信号を送信する処理を開始し、現在の錠側制御部１１（つまり、電気錠制御システム１）の動作状態を確認する（Ｓ１）。
【００５２】
ユーザ６によって登録状態に切り替えるための押釦スイッチが操作されていない状態では、錠側制御部１１の動作状態は施解錠状態となる。一方、ユーザ６によって登録状態に切り替えるための押釦スイッチが操作されると、錠側制御部１１の動作状態は登録状態となる。
【００５３】
まず、錠側制御部１１は、現在の動作状態が施解錠状態であるか否かを判断し（Ｓ２）、施解錠状態であれば（Ｓ２：Ｙｅｓ）、施解錠状態に応じたアドバタイズ信号ＡＤＶ１を錠側通信部１３から送信させて（Ｓ３）、処理を終了する。
【００５４】
一方、ステップＳ２において現在の動作状態が施解錠状態でなければ（Ｓ２：Ｎｏ）、錠側制御部１１は、現在の動作状態が登録状態であるか否かを判断する（Ｓ４）。錠側制御部１１は、現在の動作状態が登録状態であれば（Ｓ４：Ｙｅｓ）、登録状態に応じたアドバタイズ信号ＡＤＶ２を錠側通信部１３から送信させて（Ｓ５）、処理を終了する。ステップＳ４において現在の動作状態が登録状態でなければ（Ｓ４：Ｎｏ）、錠側制御部１１は、アドバタイズ信号の送信を行わず、処理を終了する。
【００５５】
錠側制御部１１は、所定の時間間隔（例えば０．５〜数秒の間隔）でステップＳ１〜Ｓ５までの処理を繰り返し行っており、錠側制御部１１（つまり、電気錠制御システム１）の動作状態に応じたアドバタイズ信号が定期的に送信される。
【００５６】
次に、鍵装置２がアドバタイズ信号を受信した時の動作を図４に基づいて説明する。
【００５７】
鍵側制御部２１は、鍵側通信部２２にアドバタイズ信号の受信待ちを行わせる待受ステップを間欠的に行う（Ｓ１１）。つまり、鍵側通信部２２は、待受ステップを行う待受期間と、アドバタイズ信号の受信待ちを行わない休止期間とを交互に行っている。ここで、鍵側通信部２２が待受ステップを行う時間（待受期間の時間幅）は、電気錠制御システム１がアドバタイズ信号を送信する時間間隔よりも長い時間に設定されており、鍵側通信部２２が待受ステップを行う間にアドバタイズ信号を受信できる確率が高くなる。
【００５８】
鍵側制御部２１は、待受ステップにおいて、アドバタイズ信号を受信すると、アドバタイズ信号に基づいて錠側制御部１１（電気錠制御システム１）の動作状態に対応する処理を行う。
【００５９】
鍵側制御部２１は、鍵側通信部２２が登録済みの電気錠制御システム１から施解錠状態に応じたアドバタイズ信号ＡＤＶ１を受信すると（Ｓ１２：Ｙｅｓ）、電気錠制御システム１の錠側通信部１３に接続する処理を鍵側通信部２２に行わせる（Ｓ１３）。ここで、鍵側通信部２２が錠側通信部１３に接続とは、鍵側通信部２２と錠側通信部１３とがＢＬＥで通信可能な状態になることをいう。そして、鍵側制御部２１は、鍵側通信部２２が錠側通信部１３に接続されると、施解錠状態に対応する第１処理を行う鍵側処理ステップを実行する（Ｓ１４）。ここでは、鍵装置２を携帯するユーザ６が、開閉部材５を解錠するために認証エリアＡ２に移動している場合を例に説明するが、鍵装置２の使用例はこれに限定されない。第１処理では、鍵側制御部２１は電気錠制御システム１を操作するためのアプリケーションを起動し、電気錠３を解錠又は施錠するための操作画面を表示部２５に表示させる。ユーザ６が鍵側操作部２３を用いて電気錠３を解錠する操作を行うと、鍵側制御部２１は、鍵情報と電気錠３を解錠させる解錠信号とを電気錠制御システム１に送信する。電気錠制御システム１は、鍵装置２から送信された鍵情報と解錠信号を受信すると、鍵情報の認証を行い、認証が成功すると解錠信号に基づいて電気錠３を解錠する。尚、第１処理において、鍵側制御部２１が電気錠３を解錠又は施錠するための操作画面を表示部２５に表示させる処理は必須ではなく、押し釦などを用いてユーザ６が解錠または施錠の操作を行うようにしてもよい。また、鍵側制御部２１は、鍵側通信部２２が登録済みの電気錠制御システム１から施解錠状態に応じたアドバタイズ信号ＡＤＶ１を受信すると、鍵情報と電気錠３を解錠させる解錠信号とを電気錠制御システム１に自動的に送信してもよい。
【００６０】
また、鍵側制御部２１は、鍵側通信部２２が登録状態に応じたアドバタイズ信号ＡＤＶ２を受信すると（Ｓ１２：Ｎｏ，Ｓ１５：Ｙｅｓ）、電気錠制御システム１の錠側通信部１３に接続する処理を鍵側通信部２２に行わせる（Ｓ１６）。そして、鍵側制御部２１は、鍵側通信部２２が錠側通信部１３に接続されると、登録状態に対応する第２処理を行う鍵側処理ステップを実行する（Ｓ１７）。第２処理では、鍵側制御部２１は電気錠制御システム１を操作するためのアプリケーションを起動し、鍵装置２を電気錠制御システム１に登録するための操作画面を表示部２５に表示させる。ユーザ６が鍵側操作部２３を用いて鍵装置２を登録するための操作を行うと、鍵側制御部２１は、鍵装置２の識別情報と、電気錠制御システム１への登録を要求する登録要求信号とを電気錠制御システム１に送信する。尚、第２処理において、鍵側制御部２１が、鍵装置２を電気錠制御システム１に登録するための操作画面を表示部２５に表示させる処理は必須ではなく、押し釦などを用いてユーザ６が解錠または施錠の操作を行うようにしてもよい。鍵側制御部２１は、鍵側通信部２２が登録状態に応じたアドバタイズ信号ＡＤＶ２を受信すると、鍵装置２を電気錠制御システム１に登録する処理を自動的に行ってもよい。
【００６１】
電気錠制御システム１では、錠側通信部１３が鍵装置２から送信された識別情報と登録要求信号とを受信すると、錠側制御部１１が鍵装置２の識別情報と鍵装置２に付与する鍵情報とを対応づけて錠側記憶部１６に記憶させる。そして、錠側制御部１１は、錠側通信部１３から鍵装置２に鍵情報を送信させる。鍵装置２の鍵側通信部２２が電気錠制御システム１から鍵情報を受信すると、鍵側制御部２１は鍵情報を鍵側記憶部２４に記憶させており、鍵装置２を電気錠制御システム１に登録する処理（錠側処理ステップ）が完了する。
【００６２】
このように、鍵側制御部２１は、待受ステップにおいてアドバタイズ信号を受信すると、アドバタイズ信号に基づいて、錠側制御部１１（電気錠制御システム１）の動作状態に適した処理を行えるので、所望の処理が行われるまでの時間を短縮できる。
【００６３】
ここで、鍵側制御部２１は、待受ステップにおいて、登録済みの電気錠制御システム１から施解錠状態に応じたアドバタイズ信号を受信するか、又は、登録状態に応じたアドバタイズ信号を受信すると、錠側制御部１１の動作状態に対応する処理を行ってもよい。この場合、鍵側制御部２１は、待受ステップにおいて、登録されていない電気錠制御システム１から施解錠状態に応じたアドバタイズ信号を受信した場合や、電気錠制御システム１以外の機器からアドバタイズ信号を受信した場合には、処理を行わない。したがって、鍵側制御部２１は、処理を行う対象の動作状態とは異なる動作状態に対応したアドバタイズ信号を受信した場合、アドバタイズ信号に対する応答信号を送信する等の処理を行わない。よって、鍵装置２及び電気錠制御システム１において不要な処理が減り、電気錠制御システム１において所望の処理が行われるまでの時間を短縮できる。
【００６４】
ここにおいて、鍵装置２では、登録処理を行うために操作される操作部と、施解錠処理を行うために操作される操作部とが、共通の鍵側操作部２３で構成されている。別々の操作を行うための操作部が共通の鍵側操作部２３で構成されているので、操作部を構成する部材を減らすことができる。この場合、ユーザ６が登録処理を意図して操作したのか、施解錠処理を意図して操作したのかは鍵側操作部２３の操作では判別できないが、本実施形態では鍵側制御部２１は、鍵側通信部２２が受信したアドバタイズ信号に応じた処理を行っている。したがって、鍵装置２では、電気錠制御システム１の動作状態に応じた適切な処理を実施することができる。
【００６５】
尚、錠側制御部１１（電気錠制御システム１）の動作状態は、登録状態及び施解錠状態に限定されず、他の動作状態でもよい。例えば、錠側制御部１１（電気錠制御システム１）の動作状態は、電気錠制御システム１に所定の台数の鍵装置２が登録された状態を含んでもよい。所定の台数は、例えば、電気錠制御システム１に登録可能な鍵装置２の最大数でもよい。例えば、ユーザ６が鍵装置２を電気錠制御システム１に登録するために、電気錠制御システム１の錠側操作部１５を操作し、錠側制御部１１の動作状態を登録状態に設定した場合を想定する。ここで、電気錠制御システム１に最大数の鍵装置２が登録されていれば、錠側制御部１１は、最大数の鍵装置２が登録された状態に応じたアドバタイズ信号を錠側通信部１３から鍵装置２に送信する。鍵装置２では、鍵側制御部２１が、最大数の鍵装置２が登録された状態に応じたアドバタイズ信号に基づいて、電気錠制御システム１の動作状態に対応する処理を行う。例えば、鍵側制御部２１は、電気錠制御システム１に最大数の鍵装置２が登録されていることを示す表示画面を表示部２５に表示させる処理を行っており、表示部２５の表示画面を見たユーザ６は鍵装置２の登録が行えないことを確認できる。尚、所定の台数は、電気錠制御システム１に登録可能な鍵装置２の最大数に限定されず、適宜変更が可能である。
【００６６】
また、例えば、錠側制御部１１（電気錠制御システム１）の動作状態は、錠側操作部１５が有する押釦スイッチ等で解錠又は施錠のための特定の操作が行われた状態（施解錠操作状態）を含んでもよい。錠側制御部１１は、ユーザ６により押釦スイッチの施解錠操作をされてから所定時間（例えば５秒間）が経過するまでの間、錠側操作部１５の施解錠操作状態に応じたアドバタイズ信号を錠側通信部１３から送信させる。鍵側制御部２１は、鍵側通信部２２が施解錠操作状態に応じたアドバタイズ信号を受信すると、電気錠制御システム１での施解錠操作状態に対応した処理を行う。すなわち、鍵側制御部２１は、鍵側操作部２３が操作されていなくても錠側制御システム１に接続し、解錠又は施錠させるための信号を送信し、錠側制御システム１に施解錠処理を行わせる。これにより、開閉部材５の近く（例えば認証エリアＡ２内）でユーザ６が電気錠制御システム１に登録済みの鍵装置２を所持している場合、ユーザ６が錠側操作部１５を用いて施解錠操作を行うと、鍵装置２の鍵側操作部２３を操作することなく施解錠が可能となる。
【００６７】
（４）変形例
上述の実施形態は、本開示の様々な実施形態の一つに過ぎない。上述の実施形態は、本開示の目的を達成できれば、設計等に応じて種々の変更が可能である。
【００６８】
電気錠制御システム１と同様の機能は、電気錠制御システム１の制御方法、電気錠制御システム用プログラム（コンピュータプログラム）、又は電気錠制御システム用プログラムを記録した非一時的な記録媒体等で具現化されてもよい。
【００６９】
一態様に係る電気錠制御システム１の制御方法は、送信ステップと、錠側処理ステップと、を含む。また、一態様に係る電気錠制御システム用プログラムは、コンピュータシステムに、送信ステップと、錠側処理ステップと、を実行させるためのプログラムである。送信ステップは、動作状態に応じたアドバタイズ信号を送信するステップ（図３のステップＳ３，Ｓ５）である。錠側処理ステップは、アドバタイズ信号を受信した鍵装置２から送信される無線信号に基づいた処理を行うステップである。
【００７０】
また、鍵装置２と同様の機能は、鍵装置２の制御方法、鍵装置用プログラム（コンピュータプログラム）、又は鍵装置用プログラムを記録した非一時的な記録媒体等で具現化されてもよい。
【００７１】
一態様に係る鍵装置２の制御方法は、待受ステップと、鍵側処理ステップと、を含む。また、一態様に係る鍵装置用プログラムは、コンピュータシステムに、待受ステップと、鍵側処理ステップと、を実行させるためのプログラムである。待受ステップは、電気錠３を制御する電気錠制御システム１から送信される電気錠制御システム１の動作状態に応じたアドバタイズ信号の受信待ちを行うステップ（図４、図５のステップＳ１１）である。鍵側処理ステップは、待受ステップで受信したアドバタイズ信号に基づいて電気錠制御システムの動作状態に対応する処理を行うステップ（図４、図５のステップＳ１４，Ｓ１７）である。
【００７２】
以下、上述の実施形態の変形例を列挙する。以下に説明する変形例は、適宜組み合わせて適用可能である。
【００７３】
（４．１）変形例１
変形例１の鍵装置２の動作を図５に基づいて説明する。変形例１の電気錠制御システム１及び鍵装置２の構成は、図１に示す電気錠制御システム１及び鍵装置２と同様であるから、共通の構成要素には同一の符号を付して、その説明は省略する。
【００７４】
鍵側制御部２１は、鍵側通信部２２にアドバタイズ信号の受信待ちを行わせる待受ステップを間欠的に行う（Ｓ１１）。
【００７５】
鍵側制御部２１は、待受ステップにおいて、アドバタイズ信号を受信すると、アドバタイズ信号に基づいて錠側制御部１１（電気錠制御システム１）の動作状態に対応する処理を行う。
【００７６】
鍵側制御部２１は、鍵側通信部２２が登録済みの電気錠制御システム１から施解錠状態に応じたアドバタイズ信号ＡＤＶ１を受信すると（Ｓ１２：Ｙｅｓ、Ｓ１８：Ｎｏ）、電気錠制御システム１の錠側通信部１３に接続する処理を鍵側通信部２２に行わせる（Ｓ１３）。鍵側制御部２１は、鍵側通信部２２が錠側通信部１３に接続されると、施解錠状態に対応する第１処理を行う鍵側処理ステップを実行する（Ｓ１４）。ステップＳ１４の処理は、図４のステップＳ１４の処理と同様であるので、説明は省略する。
【００７７】
また、鍵側制御部２１は、鍵側通信部２２が登録状態に応じたアドバタイズ信号ＡＤＶ２を受信すると（Ｓ１２：Ｎｏ，Ｓ１５：Ｙｅｓ）、電気錠制御システム１の錠側通信部１３に接続する処理を鍵側通信部２２に行わせる（Ｓ１６）。そして、鍵側制御部２１は、鍵側通信部２２が錠側通信部１３に接続されると、登録状態に対応する第２処理を行う鍵側処理ステップを実行する（Ｓ１７）。ステップＳ１７の処理は、図４のステップＳ１７の処理と同様であるので、説明は省略する。
【００７８】
一方、鍵側制御部２１は、鍵側通信部２２が登録済みの電気錠制御システム１からアドバタイズ信号ＡＤＶ１を受信し、かつアドバタイズ信号ＡＤＶ２を受信すると（Ｓ１２：Ｙｅｓ，Ｓ１８：Ｙｅｓ）、登録状態に対応する処理を行う（Ｓ１６，Ｓ１７）。ステップＳ１６，Ｓ１７の処理は、図４のステップＳ１６，Ｓ１７の処理と同様であるので、説明は省略する。
【００７９】
このように、待受ステップにおいて鍵側通信部２２が２つのアドバタイズ信号ＡＤＶ１，ＡＤＶ２を受信した場合、アドバタイズ信号ＡＤＶ２を優先し、登録状態に対応する処理を行う。例えば、アドバタイズ信号ＡＤＶ１，ＡＤＶ２の種類によって優先度が異なり、電気錠制御システム１及び鍵装置２にはアドバタイズ信号ＡＤＶ１，ＡＤＶ２の種類に応じた優先度が設定されているものとする。ここで、施解錠状態に対応するアドバタイズ信号ＡＤＶ１よりも、登録状態に対応するアドバタイズ信号ＡＤＶ２の方が優先度が高い値に設定されているものとする。したがって、鍵側通信部２２が２つのアドバタイズ信号ＡＤＶ１，ＡＤＶ２を受信した場合、鍵側制御部２１は、アドバタイズ信号ＡＤＶ１，ＡＤＶ２のうち優先度が高いアドバタイズ信号ＡＤＶ２に基づいて、登録状態に対応する処理を行うことができる。ここにおいて、複数のアドバタイズ信号で、アドバタイズ信号の内容、信号形式、送信間隔のうちの少なくとも１つが異なっているものとする。
【００８０】
尚、鍵装置２の近くにある電気錠制御システム１が登録状態である場合には、鍵装置２を携帯するユーザ６が電気錠制御システム１を登録状態に設定した可能性が高い。鍵装置２は、アドバタイズ信号ＡＤＶ１，ＡＤＶ２のうちアドバタイズ信号ＡＤＶ２を優先して登録状態に対応する処理を行うので、未登録の電気錠制御システム１に登録するか否かをユーザ６に選択させることができる。
【００８１】
ここで、鍵側制御部２１は、待受ステップの少なくとも一部の処理と、鍵側処理ステップの少なくとも一部の処理とを並行して行ってもよい。すなわち、鍵側制御部２１は、待受ステップで鍵側通信部２２が登録済みの電気錠制御システム１からアドバタイズ信号ＡＤＶ１を受信した場合に、アドバタイズ信号ＡＤＶ１に応じた処理（鍵側処理ステップ）を行いつつ、待受ステップを継続してもよい。そして、鍵側制御部２１は、鍵側通信部２２がアドバタイズ信号ＡＤＶ１を受信した後にアドバタイズ信号ＡＤＶ２を受信した場合、アドバタイズ信号ＡＤＶ１，ＡＤＶ２のうち優先度が高いアドバタイズ信号に基づく処理を行ってもよい。
【００８２】
（４．２）変形例２
上述の実施形態では、錠側制御部１１の判定処理において用いられる受信信号強度が鍵装置２からの無線信号Ｓｉｇ１の受信信号強度である場合を例として説明したが、電気錠制御システム１からの無線信号の受信信号強度であってもよい。この場合、電気錠制御システム１からの無線信号の受信信号強度を鍵装置２で計測し、その計測結果を鍵装置２から電気錠制御システム１に送信する。そして、電気錠制御システム１の錠側制御部１１は、鍵装置２で受信された受信信号の受信信号強度（計測値）に基づいて、第１閾値及び第２閾値と受信信号強度との大小を判定する判定処理を行う。
【００８３】
また、鍵装置２の鍵側制御部２１において第１閾値及び第２閾値と受信信号強度との大小を判定する判定処理を行ってもよい。この場合、鍵側制御部２１による判定処理において用いられる受信信号強度は、鍵装置２から電気錠制御システム１への無線信号Ｓｉｇ１の受信信号強度であってもよいし、電気錠制御システム１から鍵装置２への無線信号の受信信号強度であってもよい。鍵装置２から電気錠制御システム１への無線信号Ｓｉｇ１の場合には、無線信号Ｓｉｇ１の受信信号強度を電気錠制御システム１で計測し、その計測結果を電気錠制御システム１から鍵装置２に送信する。また、電気錠制御システム１から鍵装置２への無線信号の場合には、無線信号の受信信号強度を鍵装置２で計測する。そして、鍵装置２の鍵側制御部２１が、取得した受信信号強度に基づいて判定処理を行えばよい。
【００８４】
（４．３）変形例３
上記実施形態では、鍵装置２が、アドバタイズ信号に基づいて錠側制御部１１の動作状態に対応する処理を行うが、登録済みの電気錠制御システム１から登録状態に対応するアドバタイズ信号を受信した場合、鍵装置２を登録する処理とは異なる処理を行ってもよい。
【００８５】
鍵装置２が登録されている電気錠制御システム１が登録状態で動作し、登録状態に応じたアドバタイズ信号を送信している場合に、鍵装置２を携帯するユーザ６が帰宅するために電気錠制御システム１に近付いた場合を想定する。
【００８６】
電気錠制御システム１の錠側制御部１１は登録状態で動作しているので、錠側通信部１３から登録状態に応じたアドバタイズ信号を定期的に送信する。
【００８７】
通信範囲Ａ１に存在する鍵装置２では、鍵側通信部２２が、電気錠制御システム１から登録状態に応じたアドバタイズ信号を受信する。アドバタイズ信号には送信元である電気錠制御システム１の識別情報が含まれている。鍵側制御部２１は、電気錠制御システム１からのアドバタイズ信号に含まれる識別情報をもとに、登録済みの電気錠制御システム１からのアドバタイズ信号と判断でき、登録済みのため電気錠制御システム１に登録するための処理は行わない。鍵側制御部２１は、登録済みの電気錠制御システム１の近くに存在すると判断し、電気錠３を施錠又は解錠するための処理（第１処理）を行う。これにより、電気錠制御システム１が登録状態で動作している場合でも、鍵装置２は、登録状態に対応する処理以外の処理を実行できる。
【００８８】
また、電気錠制御システム１の錠側制御部１１は、錠側通信部１３から登録状態に応じたアドバタイズ信号を送信した後に、錠側通信部１３が登録済みの鍵装置２から無線信号を受信した場合、鍵装置２を登録する処理とは異なる処理を行う。
【００８９】
すなわち、錠側制御部１１は、登録状態で動作中に、錠側通信部１３が登録済みの鍵装置２から無線信号を受信した場合、鍵装置２を登録する処理以外の処理であって、電気錠３を施錠又は解錠するための処理を行ってもよい。
【００９０】
鍵装置２から送信される無線信号には鍵装置２の識別情報が含まれており、錠側制御部１１は鍵装置２の識別情報をもとに鍵装置２が登録済みか否かを判断し、登録済みの鍵装置２であれば、鍵装置２を電気錠制御システム１に登録するための処理は行わない。ここで、登録済みの鍵装置２が施解錠状態に対応する処理を行っていれば、錠側制御部１１は、鍵装置２を認証するための処理を行えばよい。これにより、錠側制御部１１が、登録状態で動作している場合でも、登録済みの鍵装置２からの無線信号に応じて、鍵装置２を登録する処理以外の処理を実行できる。
【００９１】
（４．４）その他の変形例
以下、その他の変形例について列挙する。
【００９２】
本開示における電気錠制御システム１の実行主体は、コンピュータシステムを含んでいる。コンピュータシステムは、ハードウェアとしてのプロセッサ及びメモリを有する。コンピュータシステムのメモリに記録されたプログラムをプロセッサが実行することによって、本開示における電気錠制御システム１又は制御方法の実行主体としての機能が実現される。プログラムは、コンピュータシステムのメモリに予め記録されていてもよいが、電気通信回線を通じて提供されてもよい。また、プログラムは、コンピュータシステムで読み取り可能なメモリカード、光学ディスク、ハードディスクドライブ等の非一時的な記録媒体に記録されて提供されてもよい。コンピュータシステムのプロセッサは、半導体集積回路（ＩＣ）又は大規模集積回路（ＬＳＩ）を含む１乃至複数の電子回路で構成される。複数の電子回路は、１つのチップに集約されていてもよいし、複数のチップに分散して設けられていてもよい。複数のチップは、１つの装置に集約されていてもよいし、複数の装置に分散して設けられていてもよい。
【００９３】
上述の実施形態では、錠側制御部１１が１つの回路で実現されているが、２つ以上の回路で実現されていてもよい。例えば、錠側制御部１１の機能が、２つ以上の回路に分散して設けられていてもよい。また、例えば、錠側制御部１１の機能が、１つのケースに収まる１つの装置に設けられていてもよいし、複数の装置に分散して設けられていてもよい。更に、錠側制御部１１の少なくとも一部の機能は、例えば、クラウド（クラウドコンピューティング）によって実現されていてもよい。
【００９４】
上述の実施形態では、錠側制御部１１、錠側通信部１３、及び錠側操作部１５が１つのケース１７に収納されているが、これに限定する趣旨ではない。例えば、錠側制御部１１、錠側通信部１３、及び錠側操作部１５は、２つ以上のケース１７に分散して収納されていてもよい。
【００９５】
また、本開示における鍵装置２の実行主体は、コンピュータシステムを含んでいる。コンピュータシステムは、ハードウェアとしてのプロセッサ及びメモリを有する。コンピュータシステムのメモリに記録されたプログラムをプロセッサが実行することによって、本開示における鍵装置２又は制御方法の実行主体としての機能が実現される。プログラムは、コンピュータシステムのメモリに予め記録されていてもよいが、電気通信回線を通じて提供されてもよい。また、プログラムは、コンピュータシステムで読み取り可能なメモリカード、光学ディスク、ハードディスクドライブ等の非一時的な記録媒体に記録されて提供されてもよい。コンピュータシステムのプロセッサは、半導体集積回路（ＩＣ）又は大規模集積回路（ＬＳＩ）を含む１乃至複数の電子回路で構成される。複数の電子回路は、１つのチップに集約されていてもよいし、複数のチップに分散して設けられていてもよい。複数のチップは、１つの装置に集約されていてもよいし、複数の装置に分散して設けられていてもよい。
【００９６】
上述の実施形態では、鍵装置２を用いて電気錠３の解錠又は施錠を行っているが、鍵装置２を携帯するユーザ６が、電気錠制御システム１の錠側操作部１５を操作すると、錠側制御部１１が電気錠３を解錠又は施錠してもよい。
【００９７】
この場合、鍵装置２を携帯するユーザ６が通信範囲Ａ１に入ると、鍵装置２と電気錠制御システム１との間で通信が行われ、鍵側制御部２１は、鍵側制御部２１から電気錠制御システム１に鍵情報を送信させる。電気錠制御システム１では、錠側通信部１３が鍵装置２から送信された鍵情報を受信すると、鍵側制御部２１が鍵情報の認証を行い、認証が成功すると、受信信号強度と第２閾値との高低を比較する。そして、認証が成功し、かつ、受信信号強度が第２閾値以上である状態で、ユーザ６が錠側操作部１５の解錠用の押釦スイッチを操作すると、錠側操作部１５から錠側制御部１１に操作信号が出力され、錠側制御部１１が電気錠３を解錠する。これにより、錠側制御部１１は、鍵装置２から送信される無線信号に基づいて、電気錠３を解錠する錠側処理ステップを実行する。
【００９８】
上述の実施形態では、鍵装置２は、例えばスマートフォンのような携帯端末であるが、他の構成であってもよい。例えば、鍵装置２は、コンピュータを電気錠制御システム１の鍵として動作させるためのプログラム（アプリケーション）を実行可能な携帯端末であれば、タブレット型のコンピュータ等であってもよい。また、鍵装置２は、電気錠制御システム１に用いられる専用の装置でもよく、例えばユーザ６が所持する鞄などに収納又は取付可能な電子タグ等であってもよい。
【００９９】
上述の実施形態では、鍵装置２は、開閉部材５の解錠操作及び施錠操作の両方を行うことができるが、他の構成であってもよい。例えば、鍵装置２は、開閉部材５の解錠操作だけを行う構成であってもよい。すなわち、鍵装置２は、開閉部材５の施錠操作及び解錠操作のうち少なくとも解錠操作を行うように構成されていればよい。
【０１００】
上述の実施形態では、開閉部材５は、建物４の内側（宅内４１）と外側（宅外４２）とを隔てる扉（開き戸又は引戸）又は窓であるが、建物４の一部の区画の内側と外側とを隔てる扉であってもよい。例えば、建物４が複数の住戸を有する集合住宅、複数の店舗を有するテナントビル、及び複数の事務所を有するオフィスビルであれば、個々の区画（住戸、店舗、事務所）の内側と外側とを隔てる扉が開閉部材５となる。
【０１０１】
上述の実施形態では、電気錠システム１０は戸建て住宅に適用されているが、例えば集合住宅の各住戸に適用されてもよい。また、電気錠システム１０は、集合住宅の共用部玄関に適用されてもよいし、事務所、店舗、工場などの非住宅用の建物４に適用されてもよい。
【０１０２】
（まとめ）
以上述べた実施形態から明らかなように、第１の態様の電気錠制御システム（１）は、鍵装置（２）と無線通信する錠側通信部（１３）と、錠側通信部（１３）が鍵装置（２）から受信した情報に基づいて、電気錠（３）を制御する錠側制御部（１１）とを備える。電気錠（３）は、建物（４）の開口部（４０）を開閉する開閉部材（５）を施錠又は解錠する。錠側制御部（１１）は、錠側制御部（１１）の動作状態に応じたアドバタイズ信号を送信するように錠側通信部（１３）を制御する。
【０１０３】
これにより、電気錠制御システム（１）からアドバタイズ信号を受信した鍵装置（２）は、アドバタイズ信号に基づいて錠側制御部（１１）の動作状態に適した処理を行うことができ、電気錠制御システム（１）で所望の処理が行われるまでの時間を短縮できる。
【０１０４】
第２の態様の電気錠制御システム（１）では、第１の態様において、錠側制御部（１１）の動作状態は、登録状態と、施解錠状態と、を含む。登録状態では、開閉部材（５）の施錠又は解錠を許可する鍵装置（２）を登録する。施解錠状態では、登録済みの鍵装置（２）から受信した情報に基づいて電気錠（３）を制御する。
【０１０５】
これにより、電気錠制御システム（１）からアドバタイズ信号を受信した鍵装置（２）は、アドバタイズ信号に基づいて登録状態に応じた処理、又は施解錠状態に応じた処理を行うことができる。
【０１０６】
第３の態様の電気錠制御システム（１）では、第１又は第２の態様において、以下のように構成されている。錠側制御部（１１）は、登録状態に対応したアドバタイズ信号を錠側通信部（１３）が送信した場合に、登録済みの鍵装置（２）から錠側通信部（１３）が無線信号を受信すると、鍵装置（２）を登録する処理とは異なる処理を行う。登録状態とは、開閉部材（５）の施錠又は解錠を許可する鍵装置（２）を登録する動作状態である。
【０１０７】
電気錠制御システム（１）は、登録済みの鍵装置（２）に対して登録処理を行う必要がなく、鍵装置（２）を登録する処理とは異なる処理を行うので、電気錠制御システム（１）で所望の処理が行われるまでの時間を短縮できる。
【０１０８】
第４の態様の電気錠制御システム（１）では、第１〜第３のいずれかの態様において、錠側制御部（１１）の動作状態は、所定の台数の鍵装置（２）が登録された状態を含む。
【０１０９】
これにより、鍵装置（２）では、電気錠制御システム（１）に所定の台数の鍵装置（２）が登録されていることを把握でき、所定の台数の鍵装置（２）が登録された状態に対応する処理を行わせることができる。
【０１１０】
第５の態様の電気錠制御システム（１）では、第１〜第４のいずれかの態様において、錠側制御部（１１）の動作状態は、操作を受け付ける錠側操作部（１５）が電気錠（３）を解錠又は施錠するための施解錠操作を受け付けた状態を含む。
【０１１１】
これにより、鍵装置（２）は、電気錠制御システム（１）の錠側操作部（１５）が受け付けた施解錠操作に応じた処理を行うことができ、電気錠制御システム（１）で所望の処理が行われるまでの時間を短縮できる。
【０１１２】
第６の態様の鍵装置（２）は、鍵側通信部（２２）と、鍵側制御部（２１）と、を備える。鍵側通信部（２２）は、建物（４）の開口部（４０）を開閉する開閉部材（５）を施錠又は解錠する電気錠（３）を制御する電気錠制御システム（１）と無線通信する。鍵側制御部（２１）は待受ステップ及び鍵側処理ステップを実行する。待受ステップでは、電気錠制御システム（１）から送信される電気錠制御システム（１）の動作状態に応じたアドバタイズ信号の受信待ちを行うように鍵側通信部（２２）を制御する。鍵側処理ステップでは、鍵側通信部（２２）が受信したアドバタイズ信号に基づいて電気錠制御システム（１）の動作状態に対応する処理を行う。
【０１１３】
これにより、電気錠制御システム（１）からアドバタイズ信号を受信した鍵装置（２）は、アドバタイズ信号に基づいて錠側制御部（１１）の動作状態に適した処理を行うことができ、電気錠制御システム（１）で所望の処理が行われるまでの時間を短縮できる。
【０１１４】
第７の態様の鍵装置（２）では、第６の態様において、鍵側制御部（２１）は、待受ステップの少なくとも一部の処理とと、鍵側処理ステップの少なくとも一部の処理とを並行して行う。
【０１１５】
これにより、鍵装置（２）では、待受ステップの少なくとも一部の処理を行っている状態で、鍵側処理ステップの少なくとも一部の処理を行うことができる。
【０１１６】
第８の態様の鍵装置（２）では、第６又は第７の態様において、アドバタイズ信号の種類に応じて優先度が異なる。鍵側制御部（２１）は、待受ステップにおいて鍵側通信部（２２）が複数のアドバタイズ信号を受信した場合に、鍵側通信部（２２）が受信した複数のアドバタイズ信号のうち優先度が高いアドバタイズ信号に基づく処理を行う。
【０１１７】
これにより、鍵装置（２）では、複数のアドバタイズ信号のうち優先度が高いアドバタイズ信号に基づく処理を行うので、所望の処理を電気錠制御システム（１）に行わせることができる。
【０１１８】
第９の態様の鍵装置（２）では、第６〜第８のいずれかの態様において、鍵側制御部（２１）は、待受ステップを間欠的に行い、待受ステップを行う時間が、電気錠制御システム（１）がアドバタイズ信号を送信する送信間隔よりも長い。
【０１１９】
これにより、鍵側通信部（２２）が待受ステップを行う間にアドバタイズ信号を受信できる確率が高くなる。
【０１２０】
第１０の態様の鍵装置（２）は、第６〜第９のいずれかの態様において、以下のように構成されている。鍵側制御部（２１）は、待受ステップにおいて、登録済みの電気錠制御システム（１）から登録状態に対応したアドバタイズ信号を受信した場合に、登録状態に対応したアドバタイズ信号に基づく処理とは異なる処理を行う。登録状態とは、開閉部材（５）の施錠又は解錠を許可する鍵装置（２）を登録する動作状態である。
【０１２１】
鍵装置（２）は、登録済みの電気錠制御システム（１）に対して登録処理を行う必要がないから、登録状態に対応したアドバタイズ信号に基づく処理とは異なる処理を行うことで、電気錠制御システム（１）で所望の処理が行われるまでの時間を短縮できる。
【０１２２】
第１１の態様の鍵装置（２）では、第６〜第１０のいずれかの態様において、電気錠制御システム（１）の動作状態に対応する処理は、登録処理と、施解錠処理と、を含む。登録処理では電気錠制御システム（１）に登録する。施解錠処理では、開閉部材（５）を施錠又は解錠するように電気錠（３）を制御する。
【０１２３】
これにより、鍵装置（２）は、電気錠制御システム（１）からのアドバタイズ信号に基づいて登録状態に応じた登録処理、又は施解錠状態に応じた施解錠処理を行うことができる。
【０１２４】
第１２の態様の鍵装置（２）では、第１１の態様において、登録処理を行うために操作される操作部が、施解錠処理を行うために操作される操作部と同じである。
【０１２５】
これにより、登録処理を行うために操作される操作部と、施解錠処理を行うために操作される操作部とを構成する部材の数を減らすことができる。
【０１２６】
第１３の態様の電気錠システム（１０）は、第１〜第５のいずれかの態様の電気錠制御システム（１）と、第６〜第１２のいずれかの態様の鍵装置（２）と、電気錠制御システム（１）によって制御される電気錠（３）と、を備える。
【０１２７】
これにより、電気錠制御システム（１）で所望の処理が行われるまでの時間を短縮できる電気錠システム（１０）を実現できる。
【０１２８】
第１４の態様の電気錠制御システム（１）の制御方法は、送信ステップと、錠側処理ステップと、を含む。送信ステップでは、電気錠（３）を制御する電気錠制御システム（１）の動作状態に応じたアドバタイズ信号を送信する。錠側処理ステップでは、アドバタイズ信号を受信した鍵装置（２）から送信される無線信号に基づいた処理を行う。
【０１２９】
これにより、電気錠制御システム（１）で所望の処理が行われるまでの時間を短縮できる。
【０１３０】
第１５の態様の鍵装置（２）の制御方法は、待受ステップと、鍵側処理ステップと、を含む。待受ステップでは、電気錠（３）を制御する電気錠制御システム（１）から送信される電気錠制御システム（１）の動作状態に応じたアドバタイズ信号の受信待ちを行う。鍵側処理ステップでは、待受ステップで受信したアドバタイズ信号に基づいて電気錠制御システム（１）の動作状態に対応する処理を行う。
【０１３１】
これにより、電気錠制御システム（１）で所望の処理が行われるまでの時間を短縮できる。
【０１３２】
第１６の態様の電気錠制御システム用プログラムは、コンピュータシステムに、送信ステップと、錠側処理ステップと、を実行させるためのプログラムである。送信ステップでは、電気錠（３）を制御する電気錠制御システム（１）の動作状態に応じたアドバタイズ信号を送信する。錠側処理ステップでは、アドバタイズ信号を受信した鍵装置（２）から送信される無線信号に基づいた処理を行う。
【０１３３】
これにより、電気錠制御システム（１）で所望の処理が行われるまでの時間を短縮できる。
【０１３４】
第１７の態様の鍵装置用プログラムは、コンピュータシステムに、待受ステップと、鍵側処理ステップと、を実行させるためのプログラムである。待受ステップでは、電気錠（３）を制御する電気錠制御システム（１）から送信される電気錠制御システム（１）の動作状態に応じたアドバタイズ信号の受信待ちを行う。鍵側処理ステップでは、待受ステップで受信したアドバタイズ信号に基づいて電気錠制御システム（１）の動作状態に対応する処理を行う。
【０１３５】
これにより、電気錠制御システム（１）で所望の処理が行われるまでの時間を短縮できる。
【０１３６】
また、第１８の態様の鍵装置（２）では、第６〜第１２のいずれかの態様において、前記アドバタイズ信号の種類が複数あり、鍵側処理ステップでは、鍵側通信部（２２）が受信したアドバタイズ信号の種類に基づいて異なる処理を行えばよい。ここにおいて、アドバタイズ信号の種類は、アドバタイズ信号の内容、アドバタイズ信号の送信間隔などによって複数の種類があればよい。
【０１３７】
第２〜第５の態様に係る構成については、電気錠制御システム（１）の必須の構成ではなく、適宜省略可能である。第７〜第１２、及び第１８の態様に係る構成については、鍵装置（２）の必須の構成ではなく、適宜省略可能である。
【符号の説明】
【０１３８】
１  電気錠制御システム
２  鍵装置
３  電気錠
４  建物
５  開閉部材
１０  電気錠システム
１１  錠側制御部
１３  錠側通信部
１５  錠側操作部
２１  鍵側制御部
２２  鍵側通信部
４０  開口部
【図１】
2019035230.tif 000003
【図２】
2019035230.tif 000004
【図３】
2019035230.tif 000005
【図４】
2019035230.tif 000006
【図５】
2019035230.tif 000007